(57)【要約】【課題】つなぎ目を確実に閉じた状態で被接合部材同士を接合可能な接合具、及び該接合具を用いた被接合部材の接合方法を提供する。【解決手段】接合具１を接合溝５８に宛がい、各ネジ孔１０に各ネジの先端を鬼目ナット６２に螺入させる。すると、ネジ７０は、開口部１４の外側のネジ孔１０の壁面１２に、ネジ７０のヘッド部７２の下面部分が当接する。そしてそのネジ７０を螺入するとヘッド部７２がネジ孔１０の壁面１２を滑り、各ネジ７０が案内方向に沿って内側に向かって移動する。そのため、パネル５２同士が互いに近づき、ネジ７０のヘッド部７２がネジ孔１０に嵌合した状態になると、各パネル５２は弾性シート５６を押しつぶした状態で接合される。従って、この接合具１を用いると、つなぎ目部分を確実に閉じた状態で各パネル５２を接合することができる。【選択図】  図４
2004332766.tif 000002
【特許請求の範囲】
【請求項１】
少なくとも一対のネジ孔を備え、
二つの被接合部材のつなぎ目部分の両側に前記各ネジ孔が配置されるよう前記被接合部材に宛がわれ、前記各ネジ孔にネジを通して前記各被接合部材に該ネジを螺入させてネジ止めすることにより前記各被接合部材を接合する接合具において、
前記各ネジ孔は、
一方の前記ネジ孔から当該接合具をたどって他方の前記ネジ孔に向かう案内方向に沿ってネジを案内するガイド部と、
前記ネジを螺入方向に移動させると、前記ネジを前記案内方向に沿って対の前記ネジ孔側に向かって移動させるテーパー部と
を備えることを特徴とする接合具。
【請求項２】
請求項１記載の接合具において、
前記ガイド部は、前記案内方向に沿って長尺状に形成された長孔であることを特徴とする接合具。
【請求項３】
請求項１，２いずれか記載の接合具において、
当該接合具は平板状に形成されていることを特徴とする接合具。
【請求項４】
請求項１〜３いずれか記載の接合具において、
前記被接合部財は防音パネルであることを特徴とする接合具。
【請求項５】
請求項１〜４いずれか記載の接合具を用いて前記被接合部材を接合する接合方法であって、
前記被接合部材が互いに当接する当接面に弾性変形可能な弾性シート材を挟んで、前記被接合部材を並設し、
二つの前記被接合部材のつなぎ目部分の両側に前記各ネジ孔が配置されるよう前記接合具を前記被接合部材に宛がい、
前記各ネジ孔に前記ネジを通して前記各被接合部材に該ネジを螺入させてネジ止めすることを特徴とする接合方法。
【発明の詳細な説明】
【０００１】
【発明の属する技術分野】
本発明は、少なくとも一対のネジ孔を備え、二つの被接合部材のつなぎ目部分の両側に各ネジ孔が配置されるよう被接合部材に宛がわれ、各ネジ孔にネジを通して各被接合部材にネジを螺入させてネジ止めすることにより各被接合部材を接合する接合具、及び、該接合具を用いた被接合部材の接合方法に関する。
【０００２】
【従来の技術】
従来より、住宅でピアノを弾くために開発された防音室がある。この防音室は、複数のパネル１００を並べ立てて、図６に示すように、これらのつなぎ目に接合具２００をあてがってネジ止めすることによりパネル同士をつなぎ合わせて組み立てられる（特許文献１）。
【０００３】
その際、接合具２００が宛がわれる位置であって、ネジが螺入される部分に凹部が形成され、その凹部にネジを螺入することにより、被接合部材であるパネル１００同士は接合される。
【０００４】
【特許文献１】
特許第３０１３３９６５号公報（第５図）
【０００５】
【発明が解決しようとする課題】
しかし、凹部が形成される位置は必ずしも正確ではないので、接合具２００でパネル１００をつなぎ合わせた結果、つなぎ目がかえって開いてしまうという問題があった。このようにつなぎ目が開いてしまうと、高音がつなぎ目から漏れてしまうので、防音上問題があった。
【０００６】
そこで本発明では、上述した問題点を解決し、つなぎ目を確実に閉じた状態で被接合部材同士を接合可能な接合具、及び該接合具を用いた被接合部材の接合方法を提供することを目的とする。
【０００７】
【課題を解決するための手段及び発明の効果】
上述した問題点を解決するためになされた請求項１記載の発明は、少なくとも一対のネジ孔を備え、二つの被接合部材のつなぎ目部分の両側に前記各ネジ孔が配置されるよう前記被接合部材に宛がわれ、前記各ネジ孔にネジを通して前記各被接合部材に該ネジを螺入させてネジ止めすることにより前記各被接合部材を接合する接合具において、前記各ネジ孔は、一方の前記ネジ孔から当該接合具をたどって他方の前記ネジ孔に向かう案内方向に沿ってネジを案内するガイド部と、前記ネジを螺入方向に移動させると、前記ネジを前記案内方向に沿って対の前記ネジ孔側に向かって移動させるテーパー部とを備えることを特徴とする。
【０００８】
この接合具のネジ孔を通してネジを被接合部材に螺入すると、ネジは、テーパー部により他のネジ孔の方向に押され、ガイド部に沿って移動する。すると、各ネジが各被接合部材を互いに当接する方向に移動させ、各被接合部材はつなぎ目で強く当接した状態で接合される。
【０００９】
従って、この接合具を用いると、つなぎ目部分を確実に閉じた状態で各被接合部材を接合することができる。しかも、この接合具を用いると、ネジがガイド部を移動可能な範囲であれば、凹部が形成される位置に多少ぶれがあっても、つなぎ目に隙間が発生しないよう被接合部材同士を確実に接合することができる。そのためこの接合具を用いて防音パネルを接合すれば、つなぎ目から漏れやすい高音等の音漏れを確実に防止することができる。
【００１０】
次に、請求項２に記載したように、ガイド部は、案内方向に沿って長尺状に形成された長孔であることが好ましい。卵型等に形成されていると、被接合部材がネジに押されて移動するとき、作業者が意図しない方向に被接合部材がぶれたりすることがあるが、長孔形状であれば、作業者の意図する方向に各被接合部材同士を移動させて、これらを確実に接合することができる。
【００１１】
次に、請求項３に記載したように、防音パネル等の被接合部材同士を接合する接合具としては、平板状に形成されていることが好ましい。
次に、請求項４に記載したように、被接合部財は防音パネルであることが好ましい。
【００１２】
次に、請求項５に記載したように、請求項１〜４いずれか記載の接合具を用いて被接合部材を接合する場合は、以下のようにするとよい。
まず、被接合部材が互いに当接する当接面に弾性変形可能な弾性シート材を挟んで、被接合部材を並設し、二つの被接合部材のつなぎ目部分の両側に各ネジ孔が配置されるよう接合具を被接合部材に宛がい、そして、各ネジ孔にネジを通して各被接合部材にネジを螺入させてネジ止めする。このようにすれば、接合具で被接合部材を接合する際、被接合部材との間に弾性シート材が挟まり、被接合部材のつなぎ目部分の隙間を確実に埋めることができる。
【００１３】
【発明の実施の形態】
以下、本発明が適用された実施の形態について図面を用いて説明する。
図１は本実施形態の接合具の説明図で、（ａ）は接合具の平面図、（ｂ）は（ａ）のＡ−Ａ’断面図である。図２は、本実施形態の接合具の製造方法を説明するための説明図で、（ａ）は接合具の平面図、（ｂ）は（ａ）のＡ−Ａ’断面図である。
【００１４】
本実施形態の接合具１は、図１（ａ）に示すように、平板状に形成されている。そして、この接合具１の長手方向両端部の近傍であって幅方向の中央に、ネジ孔１０がひとつずつ形成されている。このネジ孔１０は、図１（ｂ）に示すように、ネジ７０のヘッド部７２（図４参照）が嵌合可能な形状に形成され、接合具１の上面側から下面側に向けて径が狭くなるよう、その壁面１２がテーパー状に形成されている。
【００１５】
また、このネジ孔１０の下面側の開口部１４は、図１（ａ）に示すように、一方のネジ孔１０から当該接合具１をたどって他方のネジ孔１０に向かう案内方向（図１（ａ）の矢印）に沿って長尺な形状に形成され、具体的には、ネジ７０がネジ孔１０に嵌合したときに、ネジ７０のボディ部７４が位置するネジ孔１０の中心部分から、対のネジ孔１０の側（以下内側という）とは反対側（以下外側という）に向かって長尺状に形成されている。また、開口部１４は、ネジ７０のボディ部７４（図４参照）が挿通可能な幅に形成されている。この開口部１４は、ネジ７０を案内方向に沿って案内するガイド部としての機能を果している。
【００１６】
ところで、この接合具１は、図２に示すように、円錐台状に形成されたネジ孔１０’（点線部分）を形成し、各ネジ孔１０の中心部分よりも外側の部分（図２中右下がりの斜線部分α）を削って形成すればよい。このようにすれば、円錐台状に形成されたネジ孔１０’を有する既存の接合具を製造する機械を利用することもできるので、本実施形態の接合具１を低コストでしかも非常に簡単に製造することができる。ただし、本実施形態のように、予め円錐台状に形成されたネジ孔１０’を形成することなく、最初から図１に示すようなネジ孔１０を形成してもよいことはもちろんである。
【００１７】
以上説明した接合具１を用いて、防音室のパネルを接合する方法について説明する。
図３は、防音室の側面壁を組み立てる様子を上方からみた平面図、図４は図３の一部拡大図であってパネルのつなぎ目部分（図３の円で囲った部分）の拡大図であって、接合具１が宛がわれる部分の断面図である。
【００１８】
防音室５は、床面の周囲にヤトイ５０と呼ばれる支柱を等間隔に複数立て、ヤトイ５０とヤトイ５０の間に防音パネル５２を配置し、ヤトイ５０を挟んで各パネル５２を接合させることによって組立てられる。
このうちパネル５２の高さ方向（図３の紙面に垂直な方向）に沿った側面であって他のパネル５２と対向する面には、図４に示すように、ヤトイ５０を嵌合可能な嵌合溝５４が形成されている。この嵌合溝５４は、嵌合溝５４が形成された面を互いに当接させてパネル５２を立てかけたとき、各パネル５２の嵌合溝５４で形成される空間にヤトイ５０が収まる大きさに形成されている。
【００１９】
また、各パネル５２の嵌合溝５４が形成された面には、防音用の弾性シート５６が貼り付けられ、各パネル５２のつなぎ目部分の表面には、上述した接合具１を宛がう接合溝５８が形成されている。
さらに、接合溝５８が形成された部分であってネジを螺入する部分には凹部６０が形成されており、この凹部６０には、鬼目ナット６２（円筒状に形成され、外側にはパネル５２に螺入するためのネジ孔が形成され、内側にはネジ７０を螺入するためのネジ山が設けられたナット）が螺入されている。
【００２０】
そのためパネル５２同士を接合する場合、まず、接合具１を接合溝５８に宛がい、各ネジ孔１０に各ネジ７０を通し、各ネジ７０の先端を鬼目ナット６２に螺入させる。このとき、パネル５２とパネル５２との間には、弾性シート５６が挟まった状態なので、パネル５２間の隙間が大きい。そのため、ネジ７０は、ボディ部７４が、開口部１４を形成する壁面のうち外側寄りの壁面に当接し、ヘッド部７２の下面部分が、壁面１２のうち開口部１４の外側の部分に当接した状態で配置される。
【００２１】
そしてこのネジ７０を鬼目ナット６２に螺入すると、ネジ７０のヘッド部７２が、ネジ孔１０の壁面１２を滑り、各ネジ７０が案内方向に沿って対のネジ孔１０側に向かって移動する。そのため、各パネル５２はネジ７０に押されて互いに近づき、ヘッド部７２がネジ孔１０に嵌合すると弾性シート５６を押しつぶした状態で接合される。そのため、各パネル５２のつなぎ目部分は、弾性シート５６で完全に埋められ、隙間がない状態となるのである。
【００２２】
以上説明したように、本実施形態の接合具１を用いると、以下のような効果がある。
この接合具１を用いると、つなぎ目部分を確実に閉じた状態で各パネル５２を接合することができる。しかも、この接合具１を用いると、ネジ７０が開口部１４（本発明のガイド部に相当）を移動可能な範囲であれば、凹部６０が形成される位置に多少ぶれがあっても、つなぎ目に隙間が発生しないようパネル５２同士を確実に接合することができる。そのためこの接合具１を用いて上述したように防音パネル５２を接合すれば、つなぎ目から漏れやすい高音等の音漏れを確実に防止することができる、防音効果の優れた防音室を組み立てることができる。
【００２３】
また、開口部１４が卵型等に形成されていると、パネル５２がネジ７０に押されて移動するとき、作業者が意図しない方向にパネル５２がぶれたりすることがあるが、本実施形態のように、開口部１４を、案内方向に沿って長尺状な長孔状に形成すれば、作業者の意図する方向に各パネル５２同士を移動させて、これらを確実に接合することができる。
【００２４】
尚、壁面１２のうち、ネジ７０を螺入したとき、ネジ７０を案内方向に沿って対のネジ孔１０側に向かって移動させる部分は、本発明のテーパー部に相当する。
本発明の実施の形態は、上記実施形態に何ら限定されるものではなく、本発明の技術的範囲に属する限り種々の形態を採り得ることはいうまでもない。
【００２５】
例えば、本実施形態では、平板状の接合部について説明したが、直角に折れ曲がった接合具に、本実施形態のようなネジ孔１０を形成してもよいことはもちろんである。
また、本実施形態の接合具１は、図２に示すように、円錐台状に形成されたネジ孔１０’（点線部分）を形成し、各ネジ孔１０の中心部分よりも外側の部分（図２中右下がりの斜線部分α）のみを削って形成したが、図５に示すように、ネジ孔１０の中心部分よりも内側の部分を削ってもなんら問題はない。
【図面の簡単な説明】
【図１】本実施形態の接合具の説明図で、（ａ）は接合具の平面図、（ｂ）は（ａ）のＡ−Ａ’断面図である。
【図２】本実施形態の接合具を製造方法を説明するための説明図で、（ａ）は接合具の平面図、（ｂ）は（ａ）のＡ−Ａ’断面図である。
【図３】防音室の側面壁を組み立てる様子を上方からみた平面図である。
【図４】図３の一部拡大図であってパネルのつなぎ目部分（図３の円で囲った部分）の拡大図である。尚、図４は接合具１については一部断面図で示している。
【図５】本実施形態の接合具の変形例の説明図であって、（ａ）は接合具の平面図、（ｂ）は（ａ）のＡ−Ａ’断面図である。
【図６】従来のパネル接続方法の説明図である。
【符号の説明】
１…接合具、５…防音室、１０…ネジ孔、１２…壁面、１４…開口部、５０…ヤトイ、５２…パネル、５４…嵌合溝、５６…弾性シート、５８…接合溝、６０…凹部、６２…鬼目ナット、７０…ネジ、７２…ヘッド部、α…斜線部分、
【図１】
2004332766.tif 000003
【図２】
2004332766.tif 000004
【図３】
2004332766.tif 000005
【図４】
2004332766.tif 000006
【図５】
2004332766.tif 000007
【図６】
2004332766.tif 000008